(57)【特許請求の範囲】
【請求項１】
複数の演奏形態を有する複数のカラオケ楽曲の中から、利用者が指定した所定の検索条件に基づいて検索を行うと共に、当該検索結果を一覧表示する楽曲検索機能を有し、当該検索結果に基づいて選曲予約操作を行う際に、前記複数の演奏形態の中から１つを選択して選曲予約可能なカラオケ演奏装置を単独利用する場合の選曲予約システムであって、演奏形態選択頻度算出手段と、優先演奏形態設定手段と、自動設定操作子表示手段と、選曲予約手段と、を備え、
前記演奏形態選択頻度算出手段は、カラオケ楽曲が選曲予約される度に、前記選択された演奏形態の選択頻度を算出し、
前記優先演奏形態設定手段は、前記算出された前記演奏形態の選択頻度に基づいて、選択頻度が最も高い演奏形態を優先演奏形態として設定し、
前記自動設定操作子表示手段は、前記優先演奏形態が設定された場合に、演奏形態自動設定操作子を前記検索結果の一覧表示における各楽曲と共に表示し、
前記選曲予約手段は、任意の楽曲を選曲予約する際に、当該楽曲と共に表示されている前記演奏形態自動設定操作子を操作することにより当該楽曲が選択された場合には、当該優先演奏形態を有する楽曲を選曲予約し、当該楽曲が直接選択された場合には、利用者に前記演奏形態の選択を行わせて、当該選択された演奏形態を有する楽曲を選曲予約する、
ことを特徴とする単独利用カラオケ演奏装置における選曲予約システム。
【請求項２】
前記自動設定操作子表示手段は、前記設定された優先演奏形態を有する楽曲のみ、前記演奏形態自動設定操作子を表示することを特徴とする請求項１に記載の単独利用カラオケ演奏装置における選曲予約システム。
【発明の詳細な説明】
【技術分野】
【０００１】
本発明は、カラオケ演奏装置を単独で利用する際の選曲予約システムに関するものであり、特に、選曲予約を迅速に行うことが可能な選曲予約システムに関するものである。
【背景技術】
【０００２】
近年、多人数のグループで歌唱を楽しむのではなく、一人で気ままに歌唱を楽しむというカラオケ演奏装置の使用方法が注目を浴びている。このようなカラオケ演奏装置の単独利用は、他人の目を気にする必要がないため、ストレス発散や、歌唱練習を行う際に最適な利用方法であり、カラオケ演奏装置の単独利用を積極的に受け入れているカラオケ店もある。
【０００３】
カラオケ演奏装置の単独利用を認めているカラオケ店では、顧客一人当たりのコストが上昇するため、グループで利用する場合と比較して、単位時間当たりの料金を割高に設定している場合が多い。このため、カラオケ演奏装置を単独利用する利用者にとっては、選曲予約操作に時間をかけることなく効率的に選曲予約を行うことにより、利用時間内により多くの楽曲を歌唱して、コストパフォーマンスを高めることが望まれている。
【０００４】
従来、選曲予約操作を効率的に行うための技術が種々開示されている（例えば、特許文献１参照）。特許文献１に記載された技術は、迅速かつ簡便に楽曲を選曲することができる選曲予約装置に関するもので、表示用オリジナル表記の曲名表記データを格納した楽曲目次ファイルと、かな文字表記の曲名読みデータと各楽曲のＩＤとが対応づけされている曲名検索テーブルと、利用者が入力したかな文字列データを記憶するレジスタを設け、１つのかな文字が入力されるごとにレジスタにストアされているかな文字列を検索条件として曲名検索テーブルを検索し、当該かな文字列を先頭から含んだ曲名読みデータおよびその楽曲ＩＤを選出する。選出された楽曲ＩＤに対応する曲名表記データを楽曲目次ファイルから取り出して選曲予約装置のディスプレイに表示し、この中から利用者に特定の曲名を選択させ、選択された曲名に対応する楽曲ＩＤをカラオケ演奏装置に転送するようになっている。
【先行技術文献】
【特許文献】
【０００５】
【特許文献１】特開２０００−９９０４８号公報
【発明の概要】
【発明が解決しようとする課題】
【０００６】
ところで、近年普及しているカラオケ演奏装置では、同一の楽曲に対して、複数の演奏形態が用意されている。例えば、同一の楽曲に対して、生録音した演奏、ＭＩＤＩ規格の音源データを用いた演奏、有名な演奏者によるピアノ演奏、フルオーケストラによる演奏、ダンス伴奏に適した演奏等、種々の演奏形態が用意されており、利用者が選曲予約を行う際に、自らの好みに応じて演奏形態を選択できるようになっている。
【０００７】
すなわち、楽曲検索機能を用いて所望の楽曲を検索すると、検索結果が一覧表示される。そして、一覧表示された楽曲の中から所望の楽曲を指定すると、当該指定された楽曲について、演奏キー、歌唱採点の有無、ＣＤへのダウンロード等の設定を行うと共に、複数の演奏形態の中から所望の演奏形態を指定した後に、選曲予約を確定させるのが一般的である。
【０００８】
しかしながら、上述したように、単独でカラオケ演奏装置を利用する場合には、選曲予約操作に時間をかけることなく効率的に選曲予約を行うことが望まれており、演奏形態の選択操作等が煩わしく感じる場合もある。そこで、演奏形態の選択操作を行うことなく、一覧表示された楽曲の中から所望の楽曲を指定するだけで、デフォルト設定された演奏形態で選曲予約を確定させることが考えられるが、これでは、せっかく演奏形態を選択できるようにした意味が無くなり、利用者の嗜好が反映されないことになる。
【０００９】
本発明は、上述した事情に鑑み提案されたもので、カラオケ演奏装置を単独利用する場合に、選曲予約操作に時間をかけることなく効率的に選曲予約を行うことができると共に、利用者の嗜好を反映した演奏形態を自動的に選択することが可能な選曲予約システムを提供することを目的とする。
【課題を解決するための手段】
【００１０】
本発明は、上述した目的を達成するため、以下の特徴を有している。すなわち、本発明の単独利用カラオケ演奏装置における選曲予約システムは、複数の演奏形態を有する複数のカラオケ楽曲の中から、利用者が指定した所定の検索条件に基づいて検索を行うと共に、当該検索結果を一覧表示する楽曲検索機能を有し、当該検索結果に基づいて選曲予約操作を行う際に、複数の演奏形態の中から１つを選択して選曲予約可能なカラオケ演奏装置を単独利用する場合の選曲予約システムであって、演奏形態選択頻度算出手段と、優先演奏形態設定手段と、自動設定操作子表示手段と、選曲予約手段と、を備えたことを特徴とするものである。
【００１１】
演奏形態選択頻度算出手段は、カラオケ楽曲が選曲予約される度に、選択された演奏形態の選択頻度を算出するための手段である。優先演奏形態設定手段は、算出された演奏形態の選択頻度に基づいて、選択頻度が最も高い演奏形態を優先演奏形態として設定するための手段である。自動設定操作子表示手段は、優先演奏形態が設定された場合に、演奏形態自動設定操作子を検索結果の一覧表示における各楽曲と共に表示するための手段である。選曲予約手段は、任意の楽曲を選曲予約する際に、当該楽曲と共に表示されている演奏形態自動設定操作子を操作することにより当該楽曲が選択された場合には、当該優先演奏形態を有する楽曲を選曲予約し、当該楽曲が直接選択された場合には、利用者に演奏形態の選択を行わせて、当該選択された演奏形態を有する楽曲を選曲予約するための手段である。
【００１２】
また、上述した構成に加えて、自動設定操作子表示手段は、設定された優先演奏形態を有する楽曲のみ、演奏形態自動設定操作子を表示することが好ましい。
【００１３】
このような構成からなる単独利用カラオケ演奏装置における選曲予約システムは、カラオケ演奏装置を単独で利用することを前提としたものである。演奏に供される各カラオケ楽曲は、複数の演奏形態にそれぞれ対応した演奏データを有しており、選曲予約時に演奏形態を選択することができる。演奏形態とは、例えば、生録音した演奏、ＭＩＤＩ規格の音源データを用いた演奏、有名な演奏者によるピアノ演奏、フルオーケストラによる演奏、ダンス伴奏に適した演奏のことである。
【００１４】
利用者が選曲予約を行う場合には、カラオケリモコン装置等が備える楽曲検索機能を用いて、複数のカラオケ楽曲の中から、利用者が指定した所定の検索条件に基づいて検索を行うと共に、当該検索結果を一覧表示する。利用者は、一覧表示された検索結果の中から所望の楽曲を指定することにより、選曲予約手段による選曲予約が行われる。
【００１５】
本発明では、演奏形態選択頻度算出手段の機能により、カラオケ楽曲が選曲予約されると、その都度、各予約楽曲について選択された演奏形態の選択頻度を算出する。そして、優先演奏形態設定手段の機能により、選択頻度が最も高い演奏形態を優先演奏形態として設定する。優先演奏形態が設定されると、自動設定操作子表示手段の機能により、演奏形態自動設定操作子（例えば、予約アイコン）を検索結果の一覧表示における各楽曲と共に表示する。
【００１６】
利用者が一覧表示された検索結果の中から所望の楽曲を指定する際に、演奏形態自動設定操作子を操作して楽曲を選択した場合には、設定されている優先演奏形態を有する楽曲を選曲予約する。一方、演奏形態自動設定操作子を操作せずに、楽曲が直接選択された場合には、当該楽曲に関する詳細情報表示画面を表示する等して、利用者に演奏形態の選択を行わせ、当該選択された演奏形態を有する楽曲を選曲予約する。
【発明の効果】
【００１７】
本発明の単独利用カラオケ演奏装置における選曲予約システムによれば、利用者がカラオケ楽曲を選曲予約する度に、各予約楽曲について選択された演奏形態の選択頻度を算出して、当該利用者が好む演奏形態を把握することができる。そして、選択頻度が最も高い演奏形態を優先演奏形態として設定することにより、選曲予約操作において、優先演奏形態を自動的に選択して選曲予約を行うことができる。
【００１８】
したがって、選曲予約操作において演奏形態を選択して指定する手間を省いて、効率的に選曲予約を行うことができると共に、利用者の嗜好を反映した演奏形態を自動的に選択することが可能となる。
【図面の簡単な説明】
【００１９】
【図１】本発明の実施形態にかかる単独利用カラオケ演奏装置における選曲予約システムの主要部を示す機能説明図。
【図２】本発明の実施形態にかかる単独利用カラオケ演奏装置における選曲予約システムを適用したカラオケ演奏装置の構成を示すブロック図。
【図３】検索結果の一覧表示画面の一例を示す模式図。
【図４】演奏形態の自動的設定を行わない場合の詳細情報表示画面の一例を示す模式図。
【図５】選曲予約履歴データの構成例を示す説明図。
【図６】演奏形態の選択頻度の説明図。
【発明を実施するための形態】
【００２０】
以下、図面を参照して、本発明の単独利用カラオケ演奏装置における選曲予約システム（以下、選曲予約システムと略記する）の実施形態について説明する。図１〜図４は本発明の実施形態に係る選曲予約システムを示すもので、図１は選曲予約システムの主要部を示す機能説明図、図２は選曲予約システムを適用したカラオケ演奏装置の構成を示すブロック図、図３は検索結果の一覧表示画面の一例を示す模式図、図４は演奏形態の自動的設定を行わない場合の詳細情報表示画面の一例を示す模式図である。また、図５は選曲予約履歴データの構成例を示す説明図、図６は演奏形態の選択頻度の説明図である。
【００２１】
＜システムの概要＞
本発明の実施形態に係る選曲予約システムは、カラオケリモコン装置が備える選曲予約機能を用いて選曲予約を行うことが可能なシステムであり、特に、単独でカラオケ演奏装置を利用する場合に好適に適用される。本実施形態では、図５及び図６に示すように、生録音した演奏（生音演奏）、ＭＩＤＩ規格の音源データを用いた演奏（通常曲）、有名な演奏者によるピアノ演奏（名演Ｐ（名演ピアノ））、フルオーケストラによる演奏（ゴージャス）、ダンス伴奏に適した演奏（チーク）という５種類の演奏形態が選択可能であるが、演奏形態の種類は、これらのうちの一部であってもよいし、他の演奏形態を加えたものであってもよい。
【００２２】
この選曲予約システム１０は、図１に示すように、演奏形態選択頻度算出手段２２ｃ、優先演奏形態設定手段２２ｄ、自動設定操作子表示手段２２ｅ、選曲予約手段２２ｆを備えている。本実施形態では、演奏形態選択頻度算出手段２２ｃ、優先演奏形態設定手段２２ｄ、自動設定操作子表示手段２２ｅ、選曲予約手段２２ｆを、カラオケリモコン装置２２の機能として実現している。
【００２３】
＜カラオケ演奏装置＞
本発明の実施形態に係る選曲予約システム１０を適用するカラオケ演奏装置２０は、図２に示すように、カラオケ本体２１、カラオケリモコン装置２２、スピーカ２３、マイクロホン２４、表示装置２５、ミキシングアンプ２６を備えている。
【００２４】
＜カラオケリモコン装置＞
カラオケリモコン装置２２は、ユーザインタフェース機能を備えており、カラオケ本体２１の送受信手段３５との間で有線方式又は無線方式によりデータの送受信を行うようになっている。このカラオケリモコン装置２２は、楽曲検索手段２２ａとして機能するプログラム、楽曲索引データベース２２ｂ、演奏形態選択頻度算出手段２２ｃとして機能するプログラム、優先演奏形態設定手段２２ｄとして機能するプログラム、自動設定操作子表示手段２２ｅとして機能するプログラム、選曲予約手段２２ｆとして機能するプログラム、データ記憶部２２ｇ、入出力表示部２２ｈ、データの送受信を行うための電子回路及びプログラムを備えている。このカラオケリモコン装置２２に付帯するスイッチ類や、入出力表示部２２ｈに表示される各種のアイコン等を操作することにより、選曲操作等が行われる。
【００２５】
＜楽曲検索手段／楽曲索引データベース＞
楽曲検索手段２２ａは、利用者の指示に基づき、楽曲索引データベース２２ｂを参照して楽曲を検索するためのプログラムからなる。楽曲索引データベース２２ｂは、カラオケ演奏装置２０で演奏に供されるカラオケ楽曲について、その属性情報を記述したデータベースであり、例えば、楽曲番号・曲名・歌手名・歌い出し部分の歌詞・流行時期・音楽ジャンル区分・演奏形態・デュエット曲など、種々の属性情報がこれに含まれている。
【００２６】
楽曲検索手段２２ａにより楽曲検索を行うと、図３に示すように、カラオケリモコン装置２２の入出力表示部２２ｈに、検索結果が一覧表示される。図３に示す例では、曲名を検索ワードとして検索を行った結果を示している。
【００２７】
＜データ記憶部＞
データ記憶部２２ｇは、選曲予約の履歴等を記憶するための領域で、選曲予約履歴データ２２ｉ、優先演奏形態データ２２ｊが記憶される。選曲予約履歴データ２２ｉは、演奏形態選択頻度算出手段２２ｃによる演算で使用されるデータであり、図５に示すような構成となっている。また、優先演奏形態データ２２ｊは、優先演奏形態設定手段２２ｄにより、優先演奏形態として設定されたデータである。
【００２８】
＜演奏形態選択頻度算出手段＞
演奏形態選択頻度算出手段２２ｃは、図１に示すように、カラオケ楽曲が選曲予約される度に、選択された演奏形態の選択頻度を算出するためのプログラムからなる。演奏形態の選択頻度は、カラオケ楽曲が選曲予約される度に算出されるため、利用者が演奏形態の選択頻度を指定して選曲予約を行った場合と、選曲予約手段２２ｆの機能により、優先演奏形態を有する楽曲を選曲予約した場合のいずれにおいても、演奏形態の選択頻度が算出される。
【００２９】
例えば、図５に示すように、５曲中の３曲で、生録音した演奏形態（生音演奏）が選択され、残りの２曲では、それぞれ、ＭＩＤＩ規格の音源データを用いた演奏形態（通常曲）と、フルオーケストラによる演奏形態（ゴージャス）が選択されたとする。この場合には、図６に示すように、生録音した演奏形態（生音演奏）の選択頻度は６０％、ＭＩＤＩ規格の音源データを用いた演奏形態（通常曲）と、フルオーケストラによる演奏形態（ゴージャス）の選択頻度はそれぞれ２０％となる。
【００３０】
また、利用者ＩＤ等により利用者を特定できる場合には、当該利用者による過去の選曲予約履歴データを参照して演奏形態の選択頻度を算出することが可能である。過去の選曲予約履歴データを参照して演奏形態の選択頻度を算出すると、当該利用者の嗜好を、より一層正確に把握することができる。
【００３１】
＜優先演奏形態設定手段＞
優先演奏形態設定手段２２ｄは、図１に示すように、演奏形態選択頻度算出手段２２ｃで算出された演奏形態の選択頻度に基づいて、選択頻度が最も高い演奏形態を優先演奏形態として設定するためのプログラムからなる。上述した例では、図６に示すように、生録音した演奏形態（生音演奏）が優先演奏形態として設定される。
【００３２】
なお、優先演奏形態設定手段２２ｄによる優先演奏形態の設定は、演奏形態の演奏頻度に所定値以上の差がある場合に行うことが好ましい。例えば、演奏形態Ａの演奏頻度が３０％、演奏形態Ｂの選択頻度が２５％、演奏形態Ｃの演奏頻度が２５％、演奏形態Ｄの演奏頻度が２０％であったとする。この場合には、演奏形態Ａの演奏頻度が最も高いことになるが、第１順位の演奏形態Ａと第２順位の演奏形態Ｂ及び演奏形態Ｃとの間における演奏頻度の差は５％であり、第１順位の演奏形態Ａと第４順位の演奏形態Ｄとの間における選択頻度の差は１０％である。したがって、演奏形態Ａと、他の演奏形態Ｂ、Ｃ、Ｄとの間で、選択頻度に大きな差があるとは言えない。
【００３３】
そこで、優先演奏形態を設定する際に、第１順位の演奏形態における選択頻度と第２順位の演奏形態における選択頻度と差に閾値を設け、この閾値が所定値（例えば、３０％）以上となった場合に、第１順位の演奏形態を優先演奏形態として設定することが好ましい。この場合には、第１順位の演奏形態における選択頻度と第２順位の演奏形態における選択頻度との差が閾値（３０％）を下回ると、優先演奏形態の設定がリセットされる。
【００３４】
＜自動設定操作子表示手段＞
自動設定操作子表示手段２２ｅは、図１に示すように、優先演奏形態設定手段２２ｄの機能により優先演奏形態が設定された場合に、演奏形態自動設定操作子（例えば、予約アイコン４１）を検索結果の一覧表示における各楽曲と共に表示するための手段である。なお、図３に示すように、演奏形態自動設定操作子（予約アイコン４１）が表示される楽曲は、設定された優先演奏形態に対応する演奏データを有する楽曲であり、設定された優先演奏形態に対応する演奏データを有していない楽曲では、演奏形態自動設定操作子（予約アイコン４１）を表示しないことが好ましい。すなわち、演奏形態自動設定操作子（予約アイコン４１）は、利用者による演奏形態の選択指示を経ないで、設定された優先演奏形態を有する楽曲を選曲予約するための操作子であるため、設定された優先演奏形態を有していない楽曲の場合には、演奏形態自動設定操作子（予約アイコン４１）を表示する必要はない。また、この場合には、演奏形態自動設定操作子（予約アイコン４１）を表示しても、設定された優先演奏形態を選択することはできないため、演奏形態自動設定操作子（予約アイコン４１）を表示しないことが好ましい。
【００３５】
＜選曲予約手段＞
選曲予約手段２２ｆは、図１に示すように、任意の楽曲を選曲予約する際に、当該楽曲と共に表示されている演奏形態自動設定操作子（例えば、予約アイコン４１）を操作することにより当該楽曲が選択された場合には、当該優先演奏形態を有する楽曲を選曲予約し、当該楽曲が直接選択された場合には、利用者に前記演奏形態の選択を行わせて、当該選択された演奏形態を有する楽曲を選曲予約するためのプログラムからなる。具体的には、優先演奏形態が設定されると、検索結果の一覧表示画面（図３参照）において、設定された優先演奏形態を自動的に設定して選曲予約を行うための予約アイコン４１を表示する。この状態で、利用者が予約アイコン４１を操作（クリック）することにより、設定された優先演奏形態を有する楽曲が選曲予約される。
【００３６】
一方、各楽曲の詳細情報を表示させて、演奏形態を手動設定したい場合には、一覧表示された楽曲の中から所望の楽曲の選択操作（例えば、楽曲表示部分のクリック）を行うと、図４に示すように、当該楽曲の詳細表示が行われる。この詳細情報表示画面において、表示された演奏形態アイコン４２の中から所望の演奏形態アイコン４２の選択操作（クリック）を行うと、当該選択した演奏形態を有する楽曲の選曲予約が行われる。
【００３７】
＜マイクロホン＞
マイクロホン２４は、歌唱音声の入力を行うための装置である。マイクロホン２４から入力された歌唱音声信号は、ミキシングアンプ２６により、音楽再生制御手段３７から送出される演奏音声信号とミキシングされると共に増幅され、スピーカ２３へ出力される。なお、マイクロホン２４からの音声入力信号を、Ａ／Ｄコンバータによりデジタル変換して、歌唱採点手段における採点等に使用してもよい。
【００３８】
＜表示装置＞
表示装置２５は、カラオケ楽曲に関連した背景映像や歌詞テロップ等を表示するための装置で、例えば、液晶ディスプレイ等により構成される。
【００３９】
＜カラオケ本体＞
カラオケ本体２１は、図２に示すように、中央制御手段３１、ＲＯＭ３２、ＲＡＭ３３、ＨＤＤ３４、送受信手段３５、予約管理手段３６、音楽再生制御手段３７、映像再生制御手段３８を備えている。
【００４０】
＜中央制御手段＞
中央制御手段３１は、カラオケ本体２１を総合的に制御するための手段であり、例えばＣＰＵ及びその周辺機器により構成されており、ＣＰＵ等がＲＯＭ３２等に記憶されたプログラムに従って動作することにより、制御機能を発揮することができるようになっている。
【００４１】
＜ＲＯＭ／ＲＡＭ＞
ＲＯＭ３２は、カラオケ本体２１を構成する各機器を制御するためのプログラムデータや数値データを記憶するための機器で、例えば半導体メモリ等で構成される。また、ＲＡＭ３３は、プログラムや各種データを一時的に記憶する一時記憶領域として機能するもので、例えば半導体メモリ等で構成される。なお、物理的な半導体メモリによりＲＡＭ３３を構成するのではなく、ハードディスク記憶装置等を用いて仮想的なＲＡＭ３３を構成してもよい。本実施形態では、ＲＡＭ３３に予約待ち行列３３ａが記憶されるようになっている。この予約待ち行列３３ａは、選曲予約されたカラオケ楽曲について、演奏順に楽曲ＩＤを並べて構成されたデータテーブルであり、選曲者の利用者ＩＤ等、他の識別データが紐付けられている場合もある。
【００４２】
＜ＨＤＤ＞
ＨＤＤ３４は、大容量記憶装置として機能するもので、楽曲データベース３４ａ、映像データベース３４ｂが格納されている。なお、ＨＤＤ３４に替えて、あるいはＨＤＤ３４と共に、データを書き替え可能なＤＶＤ等の大容量記憶装置を用いてもよい。
【００４３】
＜楽曲データベース／映像データベース＞
楽曲データベース３４ａは、複数のカラオケ楽曲について、演奏データ（生音演奏データ、ＭＩＤＩ規格の演奏制御データ、ピアノ演奏データ、フルオーケストラの演奏データ、ダンス伴奏に適した演奏データ等）及び歌詞描出データが同期されて構成される楽曲データについて、楽曲ＩＤと対応付けてそれぞれ構成されたデータベースである。歌詞描出データは演奏に同期した歌詞文字の表示タイミングデータ及び色変わりデータを含んでいる。映像データベース３４ｂは、演奏されるカラオケ楽曲に対応した背景映像を、当該カラオケ楽曲の楽曲ＩＤに対応させた映像ファイルとして所定数格納したデータベースである。
【００４４】
＜送受信手段＞
送受信手段３５は、カラオケ本体２１とカラオケリモコン装置２２との間で、データの送受信を行うための電子回路及びプログラムからなる。本実施形態では、赤外線通信により、カラオケ本体２１とカラオケリモコン装置２２との間でデータの送受信が行われる。
【００４５】
＜予約管理手段＞
予約管理手段３６は、楽曲検索手段２２ａの機能を用いて検索され、選曲予約手段２２ｆの機能を用いて選曲予約された楽曲ＩＤを演奏順に並べて予約待ち行列３３ａを生成し、この予約待ち行列３３ａをＲＡＭ３３に格納して管理するためのプログラムからなる。
【００４６】
＜音楽再生制御手段＞
音楽再生制御手段３７は、楽曲ＩＤ及び選択された演奏形態に基づいて楽曲データベース３４ａから抽出された演奏データを、ミキシングアンプ２６に出力するための電子回路である。なお、演奏データがＭＩＤＩ規格の演奏制御データである場合には、この演奏制御データに基づいて、音源データをデジタル再生すると共にアナログ変換してミキシングアンプ２６に出力する。上述したように、ミキシングアンプ２６は、マイクロホン２４から入力された歌唱者の歌唱音声信号と、音楽再生制御手段３７から送出される演奏音声信号とをミキシングすると共に、アンプ機能により増幅してスピーカ２３より出力させるための装置である。
【００４７】
＜映像再生制御手段＞
映像再生制御手段３８は、カラオケ楽曲の演奏中に、映像データベース３４ｂから抽出した背景映像データと、演奏データに含まれる歌詞描出データに基づく歌詞文字とを、当該カラオケ楽曲の演奏データに同期させて表示装置２５に出力するためのプログラムからなる。
【００４８】
＜他の実施形態＞
本発明の選曲予約システム１０及びその周辺装置を構成する機器や手段は上述したものに限定されず、その利用目的に応じて、必要な機器や手段のみの構成としたり、適宜他の機器や手段を付加したりすることができる。また、各手段をそれぞれ別個のものとして構成するのではなく、複数の機能を統合した手段として構成してもよい。さらに、カラオケ演奏装置２０を単体で動作させるのではなく、ホスト装置にネットワーク接続したカラオケ演奏端末として動作させてもよい。
【符号の説明】
【００４９】
１０  選曲予約システム
２０  カラオケ演奏装置
２１  カラオケ本体
２２  カラオケリモコン装置
２２ａ  楽曲検索手段
２２ｂ  楽曲索引データベース
２２ｃ  演奏形態選択頻度算出手段
２２ｄ  優先演奏形態設定手段
２２ｅ  自動設定操作子表示手段
２２ｆ  選曲予約手段
２２ｇ  データ記憶部
２２ｈ  入出力表示部
２２ｉ  選曲予約履歴データ
２２ｊ  優先演奏形態データ
２３  スピーカ
２４  マイクロホン
２５  表示装置
２６  ミキシングアンプ
３１  中央制御手段
３２  ＲＯＭ
３３  ＲＡＭ
３３ａ  予約待ち行列
３４  ＨＤＤ
３４ａ  楽曲データベース
３４ｂ  映像データベース
３５  送受信手段
３６  予約管理手段
３７  音楽再生制御手段
３８  映像再生制御手段
４１  予約アイコン
４２  演奏形態アイコン
【図１】
0005670367.tif 000002
【図２】
0005670367.tif 000003
【図３】
0005670367.tif 000004
【図４】
0005670367.tif 000005
【図５】
0005670367.tif 000006
【図６】
0005670367.tif 000007